(57)【要約】【課題】  記号類を使用するパズル類の逐次解法での類推を行う場合に、一次的な記憶項目の増加を激減させることが、パズル類の解析に不可欠であり、解析者の無意味な記憶を減少させることである。解析で不可欠な記憶は、解析者の頭脳以外の場所とし、其の場所は、表示盤に求められるべきであろう。此の遣り方の出現は、解析者の頭脳をより高度な事項に活用出来ることになり、より高度な解析を解析者に提供出来ることになる。【解決手段】  表示盤の大半は、表示個所と余白個所で構成されており、使用出来る記号類の数は、予め限定されている場合が殆どである。解析者に必要な一時的な記憶は、表示個所と余白個所の両方を使用されるべきであり、表示個所内の格子升目の内部及び余白個所は、もっと有効な活用に供されることである。此の様な訳で、格子升目の内部及び余白個所に各種の区分け手段が、要求を満足するものであり、本発明は、各種の区分けを出現させるものである。【選択図】図１
2015131085.tif 000002
【特許請求の範囲】
【請求項１】
記号類を用いるパズル類において、表示個所と余白個所を有し、余白個所に区分けを行ったことを特徴とする表示盤。
【請求項２】
記号類を用いるパズル類において、表示個所内の格子升目の内部に区分けを行ったことを特徴とする表示盤。
【請求項３】
記号類を用いるパズル類において、請求項１と請求項２の両方の構成を有することを特徴とする表示盤。
【請求項４】
余白個所に設定する区分けを線分によって行うことを特徴とする請求項１の表示盤。
【請求項５】
表示個所内の格子升目の内部に設定する区分けを線分によって行うことを特徴とする請求項２の表示盤。
【請求項６】
請求項４と請求項５の両方の構成を有することを特徴とする表示盤。
【発明の詳細な説明】
【技術分野】
【０００１】  本発明は、魔方陣、数独、クロスワードパズル、ピクチャパズル、その他のゲーム類（以下、「パズル類」と言う。）で用いる数値÷数値の行列、数値に代わる記号の類（以下、「記号類」と言う。）を示すための記入用紙、表記板、表示板、テレビ画面等の電子表示具類の物品（以下、「表示盤」と言う。）に関する。
【背景技術】
【０００２】  パズル類の明示で用いた従来の表示盤は、行列状に表示されるべき記号類を設定するための格子形状に配置された升目（以下、「格子升目」と言う。）に該当した記号類を表示出来るものである。【０００３】  従来の上記表示盤は、１個の格子升目に対して１個の記号類を明示するものであり、パズル類の解析は、格子升目と記号類の対応を整合性のある形で解明することである。【０００４】  表示盤の格子升目の配置部分の外周は、パズル類の解明において全く利用されない個所であった。【０００５】  従来のパズル類の表示は、記号類を正方形や長方形の形状に並べたものが多いが、本発明の表示方法は、記号類の並べ方を正方形や長方形だけに拘るものではない。【０００６】  パズル類を表示する表示盤の表示面は、記号類を表示する部分（以下、「表示個所」と言う。）と記号類を表示しない余白の部分（以下、「余白個所」と言う。）に区分けされる。【０００７】  表示個所は、パズル類で用いる記号類を表記する格子升目の部分であり、解析者は、格子升目を記号類によって矛盾なしで埋めることになる。【０００８】  余白個所は、表示盤の表示面で表示個所に相当しない部分であり、殆どの場合に表示個所の外周部分である。【０００９】  表示盤の表示面は、有機材や無機材等の広範囲に存在し、主なものは、紙、織布、不織布、木材、金属、ガラス、陶磁器等であり、其の材料は、全く限定されない。【００１０】  表示盤の表示個所と余白個所の区分けは、両者の区分けを明確に行うための区分け明示の手段（以下、「最外部枠」と言う。）で行われ、殆どの場合に最外部枠は、表示個所の外周であり、従来は線分を用いられた。【００１１】  表示個所の外周は、最外部枠で示され、最外部枠の内部は、記号類を表示するための格子升目を設定されている。【００１２】  格子升目は、記号類を１個宛確実に明示するための区分けの表示であり、最外部枠内一杯の表示個所内で明確に区分けされた区割り個所を示す。【００１３】  最外部枠や格子升目の明示は、線分による場合が殆どであるが、此れ等の明示の遣り方は、線分だけに限定されるものではない。【００１４】  最外部枠や格子升目の区分け手段は、線分によって可能な訳であるが、材質、材料等によるだけでなく、表示面の構成要領、更に表示面の反射光、表面材料の発光等によって行われ、此れ等の組合せも区分け手段である。【００１５】  従来の表示盤の表示面の構成は、表示個所と余白個所の区分けを行う最外部枠や格子升目を線によって明確に呈示していた。【００１６】  本発明の表示盤の表示面の構成は、余白個所を有効に利用すること及び格子升目の活用を計ることの可能な区分け手段を使うことである。【００１７】  余白個所の利用及び格子升目の活用は、解析者の備忘録として用いることを主目的としており、解析者の覚え書きとなり得る。【００１８】  此れ等の備忘録の手段は、解析者にとって思考や推察を簡単なものとし、記憶範囲を膨大にしない方法の遣り方を提供する。
【発明の概要】
【発明が解決しようとする課題】
【００１９】  本発明の表示盤は、パズル類において記号類を明示する表示具の表示面の表示個所と余白個所に対して各種の区分けを行うことによってパズル類の解析を容易にしようとするものである。【００２０】  表示個所と余白個所の区分けは、此れ等の両者に付与する線分、材質、材料等だけでなく、其の表示面の構成要領、表示面の反射光、表面材料の発光の有無等によって様々に行われ、此れ等の組合せも区分け手段である。【００２１】  但し、表示個所と余白個所に対する従来の区分けは、両者間を殆ど線分で明示するものであり、此れは、最外部枠を線分で明示することになる。【００２２】  従来の格子升目で隣接間の区分けは、線分で行われているが、格子升目内において更なる区分けを行った事例は、見当らない。【００２３】  本発明の表示盤は、余白個所に区分け行為を行うものであり、該区分けは、余白個所に設ける印を表示個所の行や列に関係ある情報を明記し、格子升目の記号類の推察の助力を行う。【００２４】  更に、本発明の表示盤は、各々の格子升目の内部に区分けを設けたものであり、格子升目に可能な記号類の可否を表記する部分を必要な個数の場所数だけ其々の格子升目に付与する様な区分けである。【００２５】  本発明の表示盤は、最外部枠の表示を線分で明示すること及び隣接する格子升目の相互間の区分けを線分で明示することの２項目を含めない。【００２６】  本発明の表示盤の表面部の余白個所での区分け及び格子升目の内部での区分けの方法は、線分を付与、材質や材料に差異を設定、表面部での其れ等の構成要領の差異を設定、表面の反射光の差異を設定、表面材料の発光の有無を設定等によるものであり、此れ等の方法は、組合せても用いられる。【００２７】  前記の様な余白個所での区分け及び格子升目の内部での区分けの方法は、パズル類の解析途上の備忘録や覚え書きになる場所を設けることである。【００２８】  パズル類の解析を行う際の備忘録となる覚え書きは、各行、各列、各格子升目の推理を行うための助力となるものであり、此れ等の部分の使用方法については、各解析者の遣り方で決定される事項である。【００２９】  複雑なパズル類の解析は、沢山の記憶を必要としているが、前記の如く余白個所に於ける区分け及び格子升目の内部に於ける区分けの任意で適切な使用方法は、解析者にとって不可欠な事項の記憶の肩代わりになる。【００３０】  本発明の課題は、パズル類の解析者に必要な記憶の場所を表示盤で付与することである。
【課題を解決するための手段】
【００３１】  本発明の表示盤は、余白個所での区分け及び格子升目の内部での区分けを識別可能な遣り方でパズル類の解析者に付与するものである。【００３２】  余白個所での区分けの方法は、最外部枠の外側に於いて表示個所の各行、各列、各格子升目に関係ある場所を余白個所に設定出来、其の余白個所に任意の印を任意の場所に明示する遣り方である。【００３３】  格子升目の内部での区分けの方法は、格子升目に各々の記号類に対して可能かどうかの任意の印を任意の場所に明示する遣り方である。【００３４】  余白個所での区分け及び格子升目の内部での区分けの識別の遣り方は、打点や線分の付与、材質や材料の差異を設定、表面部での其れ等の構成要領の差異を設定、表面の反射光の差異を設定、表面材料の発光の有無を付与等によって行われるものである。【００３５】  表示盤の表面形状の観点で判断すると、余白個所での区分け及び格子升目の内部での区分けは、平面状、曲面状、段付状、凹凸状や此れ等の組合せ状態で各種存在し、殆ど限定されることはない。【００３６】  表示盤の表示面の透明性の面で判断すると、余白個所での区分け及び格子升目の内部での区分けは、透明、半透明、不透明であり、此れ等の組合せ状態で各種存在する。【００３７】  表示盤の表示面の色合の観点で判断すると、余白個所での区分け及び格子升目の内部での区分けは、色の三属性の組合せであり、色の三属性の組合せは、色相、明度、彩度によって数多く存在することになる。【００３８】  表示盤の表示面で色相のない無彩色を全体及び一部に利用することは、当然のことながら本発明の範ちゅうである。【００３９】  本発明の表示盤の表面は、前記の如く各種各様であり、様々の組合せ状態で用いられる。【００４０】  余白個所での区分け及び格子升目の内部での区分けは、パズル類の解析についての備忘録として有効であり、此の部分での遣り方は、点や線の利用が簡便であろう。【００４１】  前記の点や線の利用方法は、点や線を殆ど用いない場合、少しの点又は線を用いる場合、点や線を十分に用いる場合等様々である。【００４２】  但し、余白個所と格子升目の内側が全く同一の性状の表示盤において、余白個所での点又は線を全く用いない場合の表示盤は、従来の表示盤であり、本発明の表示盤は、此の事項については当然除外される。【００４３】  余白個所は、格子升目との関連付けが必要であり、余白個所の各部位は、該当する行や該当する列との関連付けを有するような使い方が大切である。【００４４】  格子升目の内部を備忘録として使用する遣り方は、該当格子升目に対して適応可能な記号類の設定場所を各々の格子升目に満遍無く設けるものであり、其々の格子升目について全部の記号類の可否の可能性を表示することによって利用するものである。【００４５】  前記のことを言替えると、全ての格子升目は、其々において全ての記号類の印を付与する場所を保持することである。【００４６】  上記の様な余白個所と格子升目の活用において、余白個所の活用は、行と列の関連で各格子升目の記号類を推定し、格子升目の活用は、近隣の記号類から自己の記号類の推定を行う。【００４７】  其れ故に、余白個所の利用は、該当する行又は列の既知事項を任意の遣り方で記��し、解析者の記憶の負担軽減を行い、格子升目の利用は、該当する行及び列の既知事項から必然的な該当記号類を推察するものであり、解析者の推察を強く求めるものである。【００４８】  本発明の表示盤の余白個所は、最外部枠の外側の部分に存在し、該当する行又は列に関する情報を任意の遣り方で記憶する場所を提供する。【００４９】  本発明の表示盤の格子升目の内部は、最外部枠の内側の部分に存在し、近辺の格子升目の記号類との関連を類推した結果を任意の遣り方で該当する格子升目に記憶する場所を提供する。【００５０】  本発明の表示盤は、パズル類の解明を行って格子升目に適応する記号類を推定するものであり、パズル類の表示は、最初の問題の状態、解析途上の状態、解析結果の最終状態の全てについて明示できるものである。
【発明の効果】
【００５１】  本発明の表示盤は、パズル類の格子升目を記号類で埋め尽くすことができるためにパズル類の表示を任意に行うことができる。【００５２】  本発明の表示盤は、余白個所に行又は列毎に隣接するものとの区分けを可能とし、格子升目の内部に全ての記号類の可否を表示出来る。【００５３】  本発明の表示盤は、余白個所に隣接する部分との区分けを行って該当する余白個所の行又は列の記号類の情報を任意に記入出来る。【００５４】  本発明の表示盤は、格子升目の内部に全ての記号類に対する場所を設定することで記号類の全てについて可否を任意に表示出来る。【００５５】  格子升目の適切な記号類は、該当格子升目における可能な記号類に対して余白個所からの行及び列の情報を加味することで記号類の決定となる。【００５６】  パズル類の解析者は、余白個所と格子升目の内部に区分けを設けて任意の遣り方で余白個所と格子升目の内部の利用を行うことによってパズル類の解析を行うことが可能になる。【００５７】  余白個所と格子升目の内部の利用は、解析者の備忘録となり、パズル類の解析や推定を容易にすることになる。【００５８】  本発明の表示盤の効果は、解析者の記憶による負担を減少させ、パズル類の解析を簡単にすることである。【００５９】  本発明の表示盤の具体例の説明は、以下に示す様にパズル類を９行９列の数独としている。
【図面の簡単な説明】
【００６０】
【図１】９行９列の数独の解析を行うための本発明の表示盤の表示面の説明図。
【図２】図１の表示個所のみの表示図。
【図３】図１の余白個所で行補欄面に行区分部を加えた拡大表示図。
【図４】図１の余白個所で列補欄面に列区分部を加えた拡大表示図。
【図５】図２の部分拡大表示図。
【図６】図５の更なる拡大で格子升目１個分の拡大表示図。
【図７】数独の解析完了例の表示図。
【図８】図７の問題例の表示図。
【図９】図８の解析途中での余白個所と格子升目の内部の使用例の表示図。
【符号の説明】
【００６１】１…基本欄面
４…行補欄面
５…行区分部
６…列補欄面
７…列区分部【００６２】１１…行列１１欄部
１２…行列１２欄部
１３…行列１３欄部
２１…行列２１欄部
２２…行列２２欄部
２３…行列２３欄部
３１…行列３１欄部
３２…行列３２欄部
３３…行列３３欄部【００６３】４１…行補欄１行目
４２…行補欄２行目
４３…行補欄３行目
４４…行補欄４行目
４５…行補欄５行目
４６…行補欄６行目
４７…行補欄７行目
４８…行補欄８行目
４９…行補欄９行目【００６４】５１…行区分１行目
５２…行区分２行目
５３…行区分３行目
５４…行区分４行目
５５…行区分５行目
５６…行区分６行目
５７…行区分７行目
５８…行区分８行目
５９…行区分９行目【００６５】６１…列補欄１列目
６２…列補欄２列目
６３…列補欄３列目
６４…列補欄４列目
６５…列補欄５列目
６６…列補欄６列目
６７…列補欄７列目
６８…列補欄８列目
６９…列補欄９列目【００６６】７１…列区分１列目
７２…列区分２列目
７３…列区分３列目
７４…列区分４列目
７５…列区分５列目
７６…列区分６列目
７７…列区分７列目
７８…列区分８列目
７９…列区分９列目【００６７】３２１１…欄３２の１１要素
３２１２…欄３２の１２要素
３２１３…欄３２の１３要素
３２２１…欄３２の２１要素
３２２２…欄３２の２２要素
３２２３…欄３２の２３要素
３２３１…欄３２の３１要素
３２３２…欄３２の３２要素
３２３３…欄３２の３３要素【００６８】８１…升目一
８２…升目二
８３…升目三
８４…升目四
８５…升目五
８６…升目六
８７…升目七
８８…升目八
８９…升目九【００６９】９１…欄横線
９２…数値横線上
９３…数値横線下
９４…要素横線
９５…欄縦線
９６…数値縦線左
９７…数値縦線右
９８…要素縦線
【発明を実施するための形態】
【００７０】  本発明の表示盤は、記号類を用いてパズル類の解析前、解析中、解析後、の全てを明示して関係者に閲覧させる閲覧具そのものである。
【００７１】  パズル類の表示盤は、解析者に一時的な記憶を押し付け過ぎないことが肝要であり、表示盤に備忘録の機能を持たせることが大切である。
【００７２】  本発明の表示盤は、パズル類の解析に必要な事項を表示面に記入させものであり、パズル類の解析者は、表示面に記入したことまで記憶する必要がないことになる。
【００７３】  表示盤への記入事項は、余白個所及び格子升目に明記され、此れ等の事項は、解析者に記憶される必要はない。
【００７４】  余白個所への記入事項は、該当する行又は列についての情報で解析に必要な事項だけであり、格子升目への記入事項は、近隣の格子升目で該格子升目と関連あるものについてのみ該格子升目の内部に可否を印付け等の方法で明示する。
【００７５】  解析者は、余白個所及び格子升目での明示情報から類推し、該当する格子升目の記号類を決定する。
【００７６】  本発明の表示盤を活用する解析者は、余白個所へ記入した行又は列の情報並びに格子升目へ記入した記号類の情報から該当格子升目の記号類の推定を逐次行うことになる。
【００７７】  解析者は、余白個所へ記入した情報と格子升目へ記入した情報から該当格子升目の記号類を推定し、其の後に他の格子升目の推定を行うことになり、格子升目の記号類は、逐次解法によって類推される。
【実施例】
【００７８】  本発明の表示盤の実施例を数独への適用で示すと、図１〜図９の如くであり、図１〜図６は、表示面の構成要領であり、図７〜図９は、簡単な解析例である。【００７９】  図１は、９行９列の数独に使用する本発明の表示盤の表示面の全体を示しており、図２は、図１の表示個所のみの表示図であり、図３は、図１の余白個所で行補欄面の拡大表示図であり、図４は、図１の余白個所で列補欄面の拡大表示図であり、図５は、図２の部分拡大表示図であり、図６は、図５の更なる部分拡大表示図である。【００８０】  図７は、数独解析完了例の表示図であり、図８は、図７の問題例の表示図であり、図９は図８に対する解析途中での余白個所と格子升目の内部の使用例の表示図である。【００８１】  表示盤の表示面は、図１の如く表示個所と余白個所を有しており、表示個所は、基本欄面１の部分であり、基本欄面１は９行９列の升目状であり、格子升目は、８１個で示されている。【００８２】  余白個所は、基本欄面１の外周部分であり、図１においては、基本欄面１の左方と上方の２個所の部分が解析に供されるものであり、基本欄面１の右方と下方の２個所の部分は、解析に利用されていない。【００８３】  基本欄面１の左方は、行補欄面４と行区分部５で構成され、行補欄面４は、格子状であり、行補欄面４の横方向の分割は、全く任意であるが、行補欄面４の縦方向の分割は、格子升目の分割に合わせるだけでなく、格子升目の一辺を３分割する様な分割まで行っている。行区分部５は、基本欄面１と行補欄面４の間に任意に使用可能な部分を設けただけである。【００８４】  行補欄面４の中で１〜９の文字と行区分部５の中でｄ〜ｊの文字は、任意に記入しただけであり、解析者は、余り必要としないかも知れない。【００８５】  基本欄面１の上方は、列補欄面６と列区分部７で構成され、列補欄面６は、格子状であり、列補欄面６の縦方向の分割は、全く任意であるが、列補欄面６の横方向の分割は、格子升目の分割に合わせるだけでなく、格子升目の一辺を３分割する様な分割まで行っている。列区分部７は、基本欄面１と列補欄面６の間に任意に使用可能な部分を設けただけである。【００８６】  列補欄面６の中で１〜９の文字と列区分部７の中でア〜ケの文字は、任意に記入しただけであり、解析者は、余り必要としないかも知れない。【００８７】  基本欄面１の詳細を示すものは、図２であり、基本欄面１の部分は、表示個所であり、基本欄面１の周囲は、最外部枠に相当する。【００８８】  基本欄面１は、９行９列の格子升目を有することになるが、９行９列の数独においては、大きな分割として３行３列の格子に分割が可能であり、該分割の構成は、行列１１欄部１１、行列１２欄部１２、行列１３欄部１３、行列２１欄部２１、行列２２欄部２２、行列２３欄部２３、行列３１欄部３１、行列３２欄部３２、行列３３欄部３３の９個である。【００８９】  大きな格子である行列１１欄部１１〜行列３３欄部３３の９個は、各々の格子が３行３列の格子を有しており、該格子は、格子升目に相当する。【００９０】  其々の格子升目は、更に３行３列の格子を有しており、此れは、格子升目に記入可能な記号類が９個であるためである。【００９１】  図１の基本欄面１の左��にある余白個所を拡大したものが、図３であり、行補欄面４と行区分部５が示されている。【００９２】  行補欄面４は、行補欄１行目４１、行補欄２行目４２、行補欄３行目４３、行補欄４行目４４、行補欄５行目４５、行補欄６行目４６、行補欄７行目４７、行補欄８行目４８、行補欄９行目４９の９個で構成されている。【００９３】  行区分部５は、行区分１行目５１、行区分２行目５２、行区分３行目５３、行区分４行目５４、行区分５行目５５、行区分６行目５６、行区分７行目５７、行区分８行目５８、行区分９行目５９の９個で構成されている。【００９４】  行補欄面４と行区分部５の設定の遣り方は、全く任意に行われることであり、パズル類の解析方法等によって決定される。【００９５】  図１の基本欄面１の上方にある余白個所を拡大したものが、図４であり、列補欄面６と列区分部７が示されている。【００９６】  列補欄面６は、列補欄１列目６１、列補欄２列目６２、列補欄３列目６３、列補欄４列目６４、列補欄５列目６５、列補欄６列目６６、列補欄７列目６７、列補欄８列目６８、列補欄９列目６９の９個で構成されている。【００９７】  列区分部７は、列区分１列目７１、列区分２列目７２、列区分３列目７３、列区分４列目７４、列区分５列目７５、列区分６列目７６、列区分７列目７７、列区分８列目７８、列区分９列目７９の９個で構成されている。【００９８】  列補欄面６と列区分部７の設定の遣り方は、全く任意に行われることであり、パズル類の解析方法等によって決定される。【００９９】  基本欄面１を大きな分割として３行３列の格子に分割した構成は、図１に示す行列１１欄部１１〜行列３３欄部３３の９個であり、此れ等の格子は、格子升目で見ると、３行３列の格子升目の配置である。【０１００】  該配置の１個である行列３２欄部は、図５の如くであり、欄３２の１１要素３２１１、欄３２の１２要素３２１２、欄３２の１３要素３２１３、欄３２の２１要素３２２１、欄３２の２２要素３２２２、欄３２の２３要素３２２３、欄３２の３１要素３２３１、欄３２の３２要素３２３２、欄３２の３３要素３２３３の９個であり、格子升目が９個ある。【０１０１】  図５を更に拡大すると、図６の如くであり、図６は、１個の格子升目を示すものであり、該格子升目に記号類１〜９の中の１個が、設定される。【０１０２】  数独の規定は、図５の様な３行３列の格子に対して記号類１〜９の中の１個宛が、必ず１回のみ使用されることになっている。【０１０３】  図５の３行３列の９個の格子升目の中から１個を拡大したものが、図６であり、１個の格子升目である欄３２の１１要素３２１１のみを示している。【０１０４】  欄３２の１１要素３２１１は、升目一８１、升目二８２、升目三８３、升目四８４、升目五８５、升目六８６、升目七８７、升目八８８、升目九８９の９個を有している。【０１０５】  升目一８１〜升目九８９の９個は、欄横線９１、数値横線上９２、数値横線下９３、要素横線９４、欄縦線９５、数値縦線左９６、数値縦線右９７、要素縦線９８の８本の線分によって３行３列の格子として出現している。【０１０６】  図６に示した欄３２の１１要素３２１１は、格子升目の１個に過ぎないものであり、該格子升目は、１〜９��中で１個の数値のみで満される。【０１０７】  図６によって格子升目の内部における区分けの利用方法を示すと、全ての記号類の可否を示すことが可能であり、其の対応の一例は、升目一８１に数値１、升目二８２に数値２、升目三８３に数値３、升目四８４に数値４、升目五８５に数値５、升目六８６に数値６、升目七８７に数値７、升目八８８に数値８、升目九８９に数値９の如くであり、数値１〜９の可能かどうかを明確に可否区別記号だけで明示できる。【０１０８】  図６に示す欄３２の１１要素３２１１は、１個の格子升目であり、図６の如き格子升目は、図５において欄３２の１１要素３２１１〜欄３２の３３要素３２３３の９個である。【０１０９】  図５の９個の格子升目は、図２に於て８１個の格子升目であり、其々の格子升目は、数値１〜９の可否を印付けなどで表示出来る様に区分けが行われている。【０１１０】  次に、図７〜図９による数独の解析例は、図７に解析結果、図８に問題、図９に解析途上の一例を其々示している。【０１１１】  図７と図８は、簡単なことであるので詳述を省略し、本発明の主眼である解析途上の遣り方例は、図９で若干詳しく述べられる。【０１１２】  図９の表示面は、図１と比較すると基本欄面１、行補欄面４、列補欄面６のみで構成され、行区分部５と列区分部７は、不要とされている。【０１１３】  図９で説明すると、丸印内の数値は、図８の既知数値であり、表示箇所で丸印の無い格子升目の数値は、此れまでに比較的容易に推定された結果である。【０１１４】  図９において、最外部枠の左上隅を起点とした９行９列の格子升目で述べると、最初に推定される格子升目は、１行２列に数値２、２行１列に数値４、４行９列に数値８、５行９列に数値２、６行７列に数値３、７行３列に数値２等の如く簡単に指定される。【０１１５】  其の後の推定は、埋った格子升目の数値及び余白個所に記入した情報等によって逐次的に解き明かすことになり、解析途中の一列が図９である。【０１１６】  図９の未記入の格子升目の内部は、小さい丸印が付されているが、左上から右方向へ１〜３、次に２段の左から右方向へ４〜６、更に３段目の左から右方向へ７〜９の其々の位置であり、該数値の位置で可のものの位置が、小さい丸印を付されている。【０１１７】  図９の左側の行補欄面と上側の列補欄面について説明すると、数値の１〜９は、３行又は３列における動向を明示するための位置表示である。【０１１８】  左上から右下への斜線及び右上から左下への斜線は、３行又は３列において各々の数値がどちらの斜線状に配置されていることになるかを示しており、斜線の未記入の個所は、当然未定である。【０１１９】  白抜きの丸印と黒埋めの丸印は、他の数値との関連を示しており、白抜きの丸印は、１〜９の数値で３個のみの小数派であり、黒埋めの丸印は、１〜９の数値で６個又は９個の多数派である。此れ等の数値の個数である３、６、９個は、３行又は３列の中でまとまって同一の斜方向に配置されることを意味している。【０１２０】  黒埋めの丸印の連結のものは、連結したものの配置の斜め方向が同一であることを敢えて示している。【０１２１】  前記の如き遣り方は、ほんの一例に過ぎない方法であり、図８の逐次解法は、各種��る訳であり、解析結果は、図７の如くである。
【産業上の利用可能性】
【０１２２】  本発明の表示盤は、主として誤楽のためのものであり、気分転換等のために非常に有効と推察される。
【図１】
2015131085.tif 000003
【図２】
2015131085.tif 000004
【図３】
2015131085.tif 000005
【図４】
2015131085.tif 000006
【図５】
2015131085.tif 000007
【図６】
2015131085.tif 000008
【図７】
2015131085.tif 000009
【図８】
2015131085.tif 000010
【図９】
2015131085.tif 000011